(57)【要約】      （修正有）【課題】リサイクル可能な吸湿バッグを提供する。【解決手段】表面に変色図案１１が印刷される外袋１と外袋内に吸湿顆粒２とを含む。変色図案１１のインクに使用する原料中に微細毛細孔構造を備える二酸化ケイ素粉末を添加し調和させ、更にそれを元来の変色インク内に混入し、二酸化ケイ素粉末顆粒の毛細孔により変色インク中の塩化コバルト等の変色剤に良好な付着力を持たせる。また、吸湿変色図案１１上に、印刷或いは塗布等の方法で、透明樹脂を保護層１２として一層被覆する。【選択図】図２
0003165149.tif 000002
【実用新案登録請求の範囲】
【請求項１】
毛細作用を備える包装材を使って高密度粘着或いは紡織により製作する外袋と、前記外袋内に適量に置く吸湿顆粒とを含むことによりなり、前記外袋は、密着包覆をして密閉状態に作られた袋とし、前記外袋の表面には、塩化コバルト等の変色剤に樹脂や水分を調合して作ったインクで構成される変色図案を印刷し、変色図案のインク中に使用する原料中には微細毛細孔構造を備える二酸化ケイ素粉末を添加し調和させて、良好な吸着力を有する変色インクを獲得することを特徴とするリサイクル可能な吸湿バッグ。
【請求項２】
前記変色図案の表面は、印刷或いは塗布等の技術を用いて保護作用を備える透明樹脂一層を前記変色図案の保護層として被覆することを特徴とする請求項１記載のリサイクル可能な吸湿バッグ。
【考案の詳細な説明】
【技術分野】
【０００１】
本考案はリサイクル可能な吸湿バッグに関し、特に、再生還元可能な使用済みの防湿吸湿バッグと、吸湿して図案を変色させる特殊構造に係る。
【背景技術】
【０００２】
特許文献１の「湿度表示機能を有する縫いぐるみ吸湿バッグ」の実用新案において、考案人は、主に毛細作用が良好で高密度である外袋に適量の吸湿顆粒を入れることにより、毛細作用の良好な外袋と吸湿顆粒によって大気中の湿気を吸収し、並びに、繰り返し加熱、乾燥、再生還元可能な特性を持ち、繰り返し使用する目的を達成する。また、外袋の表面には、塩化コバルトなどの変色剤に樹脂や水分を調合して作られたインクで構成する一層の変色図案（図案）を印刷し、前記変色図案は乾燥状態である時、良好な通気性と親水性を有するため、塩化コバルトなどの変色剤成分が外袋内の吸湿顆粒が吸湿した後に生じる水蒸気と接触して変色反応を起こし、変色図案は徐々に色を変化させる。これによって使用者は前記吸湿バッグが乾燥再生させる時期であるかどうかを判別できる。
【０００３】
前述の実用新案において、考案人は権利を取得した後、大量生産を行い市場に供給したところ、大きな反響を得た。消費者は前記実用新案が繰り返し再生利用可能であることと湿度変色表示機能を備えることに対し高い評価を与え、前記実用新案が確実に実質的効果を向上させることを十分に証明し、消費市場に新しい吸湿製品使用方法を提供した。しかし、前記実用新案を長期間市場販売した結果、考案人は本製品の技術的欠点を発見する。それは、吸湿バッグ上に塩化コバルトなどの変色剤に樹脂や水分を調合して作られたインクを変色図案として印刷しているが、長期使用すると図案の色落ち或いは色褪せが発生し、変色図案は徐々に変色表示機能を消失してしまっていることにあった。この原因を究明したところ、前記変色インクは空気中の湿気と敏感に反応しなければならないため、変色インクは良好な通気性と親水特性を備え、インク中の塩化コバルトなどの変色剤原料と空気中の湿気との接触をたやすくし、図案色に変化を起こさせなければならなかったが、この特性に対して前記インクには防水性が劣るという欠点があった。よって、変色図案中に含まれる塩化コバルト等変色剤は空気中の水分に溶け出し易く、徐々に図案の色落ち或いは色褪せを引き起こし、変色表示機能を失う原因となっている。
【先行技術文献】
【特許文献】
【０００４】
【特許文献１】登録実用新案第３０７２４３１号公報
【考案の概要】
【考案が解決しようとする課題】
【０００５】
公知の吸湿バッグの色落ち或いは色褪せの原因とその欠点を深く研究しみ結果を次にまとめる。
（１）吸湿バッグを繰り返し加熱還元する時、吸湿顆粒の蒸発させた水蒸気が変色図案のインク内に含まれた塩化コバルト等変色剤原料を通過するため、原料が水蒸気に溶解し空気中に放出された後、変色図案は徐々に変色表示機能を失う。
（２）使用者が吸湿バッグを手に持つ時に汗によって変色図案を湿らせることが原因で、インク内に含まれた塩化コバルト等変色剤原料が溶け出して、色落ち或いは色褪せを生じさせ、変色図案の変色表示機能が徐々に失われる。
（３）使用者が電子レンジを使って吸湿バッグを加熱還元する時、変色図案を下に向けて加熱トレイに置くと、加熱トレイには水蒸気の発生によって水が生成されるために、インク内に含まれる塩化コバルト等の変色剤原料が溶け出し、色落ち或いは色褪せを生じさせ、これによって、変色図案の変色表示機能が徐々に失われる。
（４）吸湿バッグを使用する場合、変色図案を他の物体表面に貼り付けた時、吸湿顆粒が湿気をめいっぱいに吸い取った状態を長期的に使用すると、中に含まれた水分にインク内に含まれた塩化コバルト等の変色剤原料が溶け出して、物体（或いは衣服）表面に色落ちする。
【０００６】
前述の考案背景に鑑み、産業利益の要望に符合させるために、考案者は、吸湿バッグ上の変色図案が長期使用によって、手の摩擦や汗による湿気を繰り返し受けることによって、或いは電子レンジによる乾燥時に変色図案と接触面とが接触することによって、インク中の塩化コバルト等の変色剤原料が水分に溶けて色落ち或いは色褪せを起こすことを防ぎ、正常な図案変色表示機能を維持できる考案の考案を生み出した。
【課題を解決するための手段】
【０００７】
本考案のリサイクル可能な吸湿バッグは主に、外袋表面の吸湿変色図案上に、印刷或いは塗布等の技術を用いて樹脂一層を変色図案の保護層として被覆するもので、これによって、変色図案の色落ち、色褪せ等の現象を防ぐ。前記保護層は透明樹脂とし、この保護層の配置が、変色図案中の変色インクの底層と外袋の接触面間に通気性と親水性を与えるため、変色図案は吸湿バッグ内の吸湿顆粒が含む水分に対して依然として敏感に湿度反応を起こし、変色図案は吸湿バッグ内の湿度が臨界点に達した時、即刻、変色反応を起こし、前記吸湿バッグの湿度状態を表示する。また、本考案の保護層の設計によって、変色図案中の塩化コバルト等の変色剤原料と空気中の湿気とが接触することにより発生する溶解現象、及びそれに引き起こされる色落ち或いは色褪せ等の欠点を効果的に防ぐ。
【０００８】
また、別に、変色図案に使用する原料、即ち塩化コバルト等の変色剤の水溶液中に微細毛細孔構造を備える二酸化ケイ素粉末を添加し調和させ、塩化コバルト等の変色剤の水溶液を二酸化ケイ素表面に満ちた毛細孔により吸収させ、次に調和後の塩化コバルト等の変色剤溶液を先に塩化コバルト等の変色剤、樹脂、及び水分で調合生成した変色インク中に混ぜ入れて、良好な付着力を備える変色インクを獲得する。即ち、インク中の塩化コバルト等の変色剤及び樹脂が二酸化ケイ素粉末上の毛細孔と良好な結合力を起こすため、変色インク及び外袋間には良好な吸着が得られ、前述で印刷製作した透明樹脂使用を組み合わせると、吸湿バッグ表面の変色図案は何度も繰り返し使用しても色落ち或いは色褪せ等の現象が見られず、前記実用新案に存在する欠点を解決する。
【考案の効果】
【０００９】
本考案のリサイクル可能な吸湿バッグは、変色図案の色落ち、色褪せ等の現象を防ぐ効果を有する。
【図面の簡単な説明】
【００１０】
【図１】本考案の立体図である。
【図２】本考案の一部拡大断面図である。
【図３】本考案の二酸化ケイ素粉末顆粒の拡大平面図である。
【図４】本考案の実施例に関する一部拡大断面図である。
【考案を実施するための形態】
【００１１】
本考案の研究方向はリサイクル可能な吸湿バッグの変色図案における色落ち或いは色褪せを防ぐことにある。本考案を徹底的に理解するために、次の説明では、詳細工程とその組成について述べる。明らかに、本考案の実施には関連技術者の熟知する特殊詳細に対する限定はない。また、公知の組成或いは工程を詳細に説明していないのは、本考案に対する不必要な制限を避けるためである。本考案の実施例の詳細は以下の通りである。しかし、この詳細説明の他に、本考案は他の実施例中での広範な応用が可能であり、本考案の範囲に制限されないものとし、本考案の実用新案登録請求の範囲を基準とする。
【実施例】
【００１２】
図１には本考案の提供するリサイクル可能な吸湿バッグの立体図を示す。その外観構造の組成は前記特許文献１に類似し、毛細作用を備える包装材を使って高密度粘着或いは紡織により製作する外袋１と外袋１内に適量に置く吸湿顆粒２とを含む。前記外袋１は、密着包覆をして密閉状態に作られた袋である。それと同時に、外袋１の全体は吸湿表層を形成し、吸湿面積が拡大するため、その吸湿効率を向上させる。外袋１表面の材質は、毛細作用及び高密度繊維を備えた設計のため、表面は湿気を出入りさせる作用を持ち、吸湿顆粒の破砕によって微粒化した後に生じる漏れや浸入等を防ぐことができる。
【００１３】
次に、外袋１の表面には別に、塩化コバルト等の変色剤に樹脂や水分を調合して作ったインクで構成される変色図案１１を印刷する。前記変色図案１１は吸湿顆粒２の吸湿作用に伴い臨界点に達して変色作用を起こし、使用者に繰り返し加熱再生利用する時期が来たことを知らせる。
【００１４】
図１から図３に示す通り、本考案の技術手段は、印刷或いは塗布等の方法を用いて、一層一層加工する方法で変色図案１１の表面に別に被覆し、保護層１２を変色図案１１の保護とすることにある。これによって変色図案１１の汚染、磨耗、色落ち等現象発生を防ぐ。更に、外袋１内の吸湿顆粒２を加熱還元する時に蒸発する水分を防ぐことにより、変色インク中の塩化コバルト等の変色剤成分が蒸気と接触して水分が表面に溶け出して色落ちや色褪せを引き起こすのを防止する。しかし、前記保護層１２の被覆は変色図案１１中の変色インク底層と外袋１の接触面間に備える通気性と親水性には影響を与えないことから、変色図案１１は外袋１内の吸湿顆粒２に含まれる水分に対して依然として敏感な湿度反応を有し、吸湿バッグ内の湿度が臨界点に達した時、変色図案１１は即刻変色反応を示し、前記吸湿バッグの湿度状態を表示して、加熱還元再生の時期が来たことを使用者に知らせる。
【００１５】
図３及び図４に示す通り、本考案が別に変色図案１１に使用する原料、即ち塩化コバルト等の変色剤の水溶液中に微細毛細孔構造をもつ二酸化ケイ素粉末顆粒３を添加し調和したものを利用することも可能である。前記二酸化ケイ素粉末顆粒３の表面には毛細孔３２が満ちているため（図３参照）、塩化コバルト等の変色剤の水溶液は二酸化ケイ素の表面に満ちている毛細孔３２に吸収される。次に、二酸化ケイ素粉末顆粒３の塩化コバルト等の変色剤溶液を添加し、更に先に塩化コバルト等の変色剤、樹脂、及び水分を調合して作られた変色インク中に混入させ、良好な付着力を有する変色インクを得る。即ち、インク中の塩化コバルト等の変色剤及び樹脂が二酸化ケイ素粉末顆粒３内表面の毛細孔３２との吸着、結合によって良好な結合力を獲得するため、変色図案１１と外袋１間には良好な吸着効果が生まれ、前述で印刷製作した保護層１２の応用を組み合わせると、本考案の吸湿バッグ表面の変色図案は何度も繰り返し使用しても色落ち或いは色褪せ等の現象が発生し難いものとなる。
【符号の説明】
【００１６】
１  外袋
１１  変色図案
１２  保護層
２  吸湿顆粒
３  二酸化ケイ素粉末顆粒
３２  毛細孔
【図１】
0003165149.tif 000003
【図２】
0003165149.tif 000004
【図３】
0003165149.tif 000005
【図４】
0003165149.tif 000006